(57)【特許請求の範囲】
【請求項１】
遊技者が獲得した遊技媒体数を計数して、前記計数された遊技媒体数に対応する遊技媒体数データを出力する計数部と、遊技者が指定した景品と前記遊技媒体数データとを、前記計数部から出力された当該遊技者の遊技媒体数データの範囲で交換するとともに、前記交換した遊技媒体数データを出力する景品交換部と、遊技者ごとに発行された会員カードに対応する口座を有し、前記計数部及び景品交換部から出力される遊技者ごとの遊技媒体数データに基づいて、当該遊技者の口座の遊技媒体数データの記録・更新処理を行うデータベース管理機とを備えた遊技システムにおいて、
前記計数部には、前記会員カードの識別情報を読み取るカードリーダを内蔵し、前記計数された遊技媒体数データと前記会員カードの識別情報とを前記データベース管理機に出力するカード端末機が設けられており、
前記景品交換部には、前記会員カードの識別情報を読み取りと前記交換した遊技媒体数データと前記会員カードの識別情報とを前記データベース管理機に出力するカード端末機が設けられており、
さらに、前記計数部もしくは前記景品交換部には、前記データベース管理機を介して、当該遊技者が振替を指定した遊技媒体数に対応する振替遊技媒体数データを当該遊技者の口座に記録された遊技媒体数データから減算するとともに、前記振替遊技媒体数データを、前記データベース管理機に存在する当該遊技者が指定する口座に記録された遊技媒体数データに加算する振替装置が設けられていることを特徴とする遊技システム。
【請求項２】
前記振替装置により前記口座に振替えられる前記振替遊技媒体数データで示された遊技媒体数に、所定の徴収率を乗算して手数料媒体数を計算し、前記手数料媒体数に対応する手数料遊技媒体数データを、振替手数料として、前記振替遊技媒体数データより差引くようにしたことを特徴とする請求項１に記載の遊技システム。
【発明の詳細な説明】
【０００１】
【発明の属する技術分野】
本発明は、パチンコ機、スロット機等が設置されている遊技店において、遊技者が獲得したパチンコ玉等の遊技媒体数データを自己の口座に預け入れることができ、所定の遊技媒体数データを取り出し可能とし、景品と交換できる遊技システムに関する。
【０００２】
【従来の技術】
従来のパチンコ等の遊技システムとしては、例えば、特開平３−６８３８５号公報に開示されているように、遊技場において、遊技者が獲得したパチンコ玉等のデータを遊技者自身の口座に預け入れ、そこから希望する玉数のデータを引き出し、その口座にある玉数を景品に交換することが可能なものが知られている。これは予め遊技店に自分の名前等を登録して会員カードを作成しておき、遊技者はこの会員カードを用いて遊技するためのパチンコ玉データを引き出してパチンコ台で遊技し、遊技の結果獲得したパチンコ玉データを自己の口座に預け入れるようできるようにしたものである。遊技者は、獲得したパチンコ玉が少なく希望の景品と交換できない時など、獲得したパチンコ玉を不本意な景品と交換することなく、自己の口座に預け入れることができるものである。
【０００３】
また、特開平７−５２３５８号公報に開示されているように、遊技媒体数データの一部のみを自己の口座に預け入れることが可能な遊技システムもある。
これは、会員カードを有する遊技者が、自分が獲得したパチンコ玉等の遊技媒体数データの全部を自己の口座に預け入れるか一部のみを自己の口座に預け入れるかを、遊技者が選択することができるものである。
【０００４】
【発明が解決しようとする課題】
ところで、最近は、遊技場に出向く際には、友人、知人、家族等を誘い合わせて一緒に遊技を楽しむ傾向があり、希望する景品が自己の口座にある遊技媒体数データ内で交換できない場合に、一緒に来た友人、知人、家族等の口座にある遊技媒体数データと合わせて希望する景品と交換したいという遊技者の要望がある。
また、景品交換のためではなく、自己の口座にある遊技媒体数データの一部または全部を一緒に来た友人、知人、家族等の口座に振り替えたいという要望もある。
しかしながら、従来の遊技システムでは、上述のように、遊技者が希望する景品が自己の口座にある遊技媒体数データ内で交換できないが一緒に遊技している家族等の口座の遊技媒体数データの一部と合わせると前記希望景品との交換が可能である場合でも、景品交換のための遊技媒体数データは遊技者の口座に記録された遊技媒体数データの範囲内に限られてるので、遊技者は希望景品を入手することができなかった。また、遊技者の口座にある遊技媒体データの一部または全部を他の遊技者の口座に振り替えることも不可能であった。
【０００５】
本発明は、上記課題を解決するためになされたもので、遊技者の口座にある遊技媒体データの一部または全部を他の遊技者の口座に振り替えることができる貯玉振替装置を提供することを目的とする。
【０００６】
【課題を解決するための手段】
本発明の請求項１に記載の遊技システムは、遊技者が獲得した遊技媒体数を計数して、前記計数された遊技媒体数に対応する遊技媒体数データを出力する計数部と、遊技者が指定した景品と前記遊技媒体数データとを、前記計数部から出力された当該遊技者の遊技媒体数データの範囲で交換するとともに、前記交換した遊技媒体数データを出力する景品交換部と、遊技者ごとに発行された会員カードに対応する口座を有し、前記計数部及び景品交換部から出力される遊技者ごとの遊技媒体数データに基づいて、当該遊技者の口座の遊技媒体数データの記録・更新処理を行うデータベース管理機とを備えた遊技システムであって、
前記計数部には、前記会員カードの識別情報を読み取るカードリーダを内蔵し、前記計数された遊技媒体数データと前記会員カードの識別情報とを前記データベース管理機に出力するカード端末機が設けられており、
前記景品交換部には、前記会員カードの識別情報を読み取りと前記交換した遊技媒体数データと前記会員カードの識別情報とを前記データベース管理機に出力するカード端末機が設けられており、
さらに、前記計数部もしくは前記景品交換部には、前記データベース管理機を介して、当該遊技者が振替を指定した遊技媒体の個数に対応する振替遊技媒体数データを当該遊技者の口座に記録された遊技媒体数データから減算するとともに、前記振替遊技媒体数データを、前記データベース管理機に存在する当該遊技者が指定する口座に記録された遊技媒体数データに加算する振替装置が設けられていることを特徴とするものである。
【０００７】
請求項２に記載の遊技システムは、請求項１に記載の遊技システムにおいて、前記振替装置により前記口座に振替えられる前記振替遊技媒体数データで示された遊技媒体数に、所定の徴収率を乗算して手数料媒体数を計算し、前記手数料媒体数に対応する手数料遊技媒体数データを、振替手数料として、前記振替遊技媒体数データより差引くようにしたことを特徴とするものである。
【０００８】
【発明の実施の形態】
以下本発明の一実施形態について、図１ないし図４に基づき説明する。
図１は、本発明に係わる貯玉振替装置を使用するパチンコ遊技システムの構成を示すブロック図で、本発明のパチンコ遊技システムは、データベース管理機１、景品交換部２、計数部３及び貯玉振替装置４よって構成される。
計数部３は、パチンコ玉を計数する計数機３１、上記計数機３１で計数された玉数データを記録したレシートを発券する発券機３２、遊技者の会員カードの識別情報を読み取るカードリーダを内蔵し上記計数された玉数データを当該遊技者の口座に貯玉するためのカード端末機３３等を備えている。
また、上記発券機３２には、上記計数された玉数データの全てをレシートに記録するかまたは貯玉するための全部釦と、上記計数された玉数データのうち端数を差し引いた玉数データをレシートに記録するかまたは貯玉し端数をパチンコ玉として遊技者に返却するための返却釦が備えられている。なお、上記端数とは、上記計数された玉数データから景品（一般景品または特殊景品）と交換可能な最大の玉数を減算した残りの玉数をいう。
景品交換部２は、景品の交換及び在庫管理行なう景品交換管理装置２２、上記発券機３２で発行されたレシートを読み取り景品管理装置２２にその情報を入力するスキャナ２４、景品管理装置２２により指令された特殊景品を払い出す景品払出機２３、遊技者の会員カードの識別情報を読み取りと口座の貯玉を引き落として景品交換を行わせるためのカード端末機２１を備えている。
【０００９】
貯玉振替装置４は、計数部３の一機能として計数部３に内蔵させてもよいが、本例では計数部３とは切り離して設けている。この貯玉振替装置４は遊技者の会員カードの識別情報の読み取りと貯玉の振替操作を制御するためのカード端末機５、貯玉の振替結果を記録したレシートを発行するレシート発行機６、振替手数料の徴収率を設定する徴収率設定手段７、振替玉数と前記徴収率より振替手数料や振替後の残高を計算し記憶する演算記憶装置８を備えている。この貯玉振替装置４は、景品交換部２に設置してもよい。
【００１０】
これら各部データベース管理機１、カード端末機２１、景品交換管理装置２２、発券機３２、カード端末機３３、カード端末機５はＬＡＮによる通信回線でつながっており、互いにデータ交換可能となっている。
データベース管理機１は、遊技者によるパチンコ玉あるいはびメダルの貯玉を景品交換部３の貯玉指令出力及びカード端末機２１、カード端末機３３、カード端末機５のカード識別情報出力、貯玉指令出力及び振替指令出力等に基づいて、遊技者の貯玉口座を管理する貯玉管理ファイル（図示せず）に記録・更新処理を行なっている。この貯玉管理ファイルは、ＩＤ番号毎に会員の貯玉データ、暗証番号、住所、年齢、性別、電話番号等の会員情報を記録及び管理している。なお、貯玉データは、パチンコ玉とメダルとに分けて記録されている。
【００１１】
図２は、本発明の貯玉振替装置４の外観を示す斜視図で、ケーシングＫにカード端末機５、レシート発行機６、徴収率設定手段７、演算記憶装置８を装着したものである。
ケーシングＫの前面には、口座番号や遊戯媒体数の入力及び振替操作を指令するための入力キー９と、遊技者の操作状況を表示する液晶ディスプレイからなる表示部１０が設置され、ケーシングＫの下部には、遊技者の会員カードの識別情報を読み取るカードリーダ１１が組み込まれている。また、このカードリーダ１１に会員カードを導入するためのカード挿入口１２は、カードリーダ１１の前面に設置されている。なお、ケーシングＫの後部上面には、貯玉の振替結果を記録したレシートを排出するレシート取り出し口１３が設けられている。
また、上記入力キー９は、テンキー９ａ、取消キー９ｂ、中止キー９ｃ、確認キー９ｄ、振替キー９ｅ等を備える。
【００１２】
第３図はケーシングＫの前面に設置された表示部１０の表示画面Ｄの一例で、貯玉振替操作が終了した時点での表示画面である。表示画面Ｄは、上下２つの領域に分割されており、上の画面は指示画面Ａで、遊技者の貯玉振替操作に関する指示が表示され、下の画面は確認画面Ｂで、遊技者の操作状況に応じた操作結果が表示される。確認画面Ｂは、利用者氏名表示枠１０１、貯玉残高枠１０２、振替玉数表示枠１０３、手数料表示枠１０４、差引貯玉残数表示枠１０５、振替先氏名表示枠１１１、振替先玉数表示枠１１２から成る。
【００１３】
以上の構成によるパチンコ景品交換システムの動作について説明する。
遊技者が景品交換をしようとする場合には、ゲームで獲得したパチンコ玉を計数機３１に投入すると、上記計数機３１の計数結果がレシートに記録され発券機３２から発券される。
このとき、遊技者が上記発券機３２に備えられている全部釦を選択すれば、発券機３２は上記計数機３１によって計数された玉数全てをレシートに記録し発券する。また、遊技者が上記発券機３２に備えられている返却釦を選択すれば、発券機３２は上記計数機３１によって計数された玉数から端数を差し引いた玉数をレシートに記録し発券するとともに、上記端数分のパチンコ玉は計数機３１の返却口より遊技者に返却される。
遊技者は上記発券されたレシートを、景品交換部２のスキャナ２４で読込ませた後、景品名を指定すると、特定の景品を得ることができる。
一方、遊技者が貯玉をしようとする場合には、遊技者はカード端末機３３に内蔵されたカードリーダーに会員カードを挿入し、ゲームで獲得したパチンコ玉を計数機３１に投入すると、上記計数機３１により計数された玉数データが上記会員カードの口座に貯玉される。
貯玉を行う場合も、上述した景品交換の場合と同様に、遊技者が上記発券機３２に備えられている全部釦を選択すれば、カード端末機３３は上記計数機３１によって計数された玉数全てを玉数データとして上記会員カードの口座に貯玉し、返却釦を選択すれば、カード端末機３３は上記計数機３１によって計数された玉数から端数を差し引いた玉数を玉数データとして上記会員カードの口座に貯玉するとともに、上記端数分のパチンコ玉は計数機３１の返却口より遊技者に返却される。
次に、貯玉振替装置４の動作を図４のフローチャートを用いて説明する。
待機状態では、貯玉振替装置４は、遊技者の会員カードの挿入を待つ状態にあり、表示画面Ｄの指示画面Ａには、「カードを入れて下さい」という文字が表示されている。遊技者が会員カード（ＩＤカード）をカード挿入口１２に挿入する（ステップＳ１）と、貯玉振替装置４は、データベース管理機１にアクセスして、会員カードのＩＤ番号が貯玉管理ファイル内に存在するかを照合し、存在する場合には、データベース管理機１は貯玉振替装置４にアクセスして、この会員の口座の会員情報(暗証番号、貯玉データ、氏名など）を送る。この時、指示画面Ａには、「暗証番号を入れて下さい」という文字が表示され、確認画面Ｂの利用者氏名表示枠１０１には、データベース管理機１より送られてきた会員氏名が表示される。次に、遊技者が入力キー９のテンキー９ａにより、暗証番号を入力する（ステップＳ２）と、貯玉振替装置４は、入力されて暗証番号とデータベース管理機１より送られてきた暗証番号とを比較し、暗証番号が一致するかどうかを判定する（ステップＳ３）。ここで、入力されて暗証番号とデータベース管理機１より送られてきた暗証番号が一致しない場合（ステップＳ３；Ｎｏ）には、貯玉振替装置４は異常停止を行ない（ステップＳ４）、会員カードをカード挿入口１２より排出した後に待機状態に戻る。
【００１４】
入力されて暗証番号とデータベース管理機１より送られてきた暗証番号が一致した場合（ステップＳ３；Ｙｅｓ）には、確認画面Ｂの貯玉残高表示枠１０２には、データベース管理機１より送られてきたこの会員の貯玉データが表示され（ステップＳ５）、指示画面Ａには、「振替先の口座番号を入れて下さい」という文字が表示される。
遊技者がテンキー９ａにより、振替先の口座番号を入力する（ステップＳ６）と、貯玉振替装置４は、データベース管理機１にアクセスして、前記口座番号が貯玉管理ファイル内に存在するかを照合し、存在する場合には、データベース管理機１は貯玉振替装置４にアクセスして、振替先の口座の会員情報(暗証番号、貯玉データ、氏名など）を送る。  この時、確認画面１の振替先氏名表示枠１１１には、データベース管理機１より送られてきた振替相手先の会員氏名が表示され（ステップＳ７）、指示画面Ａには、「確認キーを押して下さい。（変更の場合は取消キー）」という文字が表示される。
遊技者が振替先の口座番号を間違えて入力した時などは、取り消しキー９ｂを押す（ステップＳ８）と、貯玉振替装置４は上記ステップＳ５に戻り、遊技者は振替先の口座番号を押し直すことができる。  また、遊技者が貯玉振替を中止する場合には、中止キー９ｃを押せば、貯玉振替装置４は動作を停止し、会員カードをカード挿入口１２より排出した後に待機状態に戻る。
【００１５】
遊技者が確認キー９ｄを押す（ステップＳ９）と、指示画面Ａには、「振替玉数を入れて下さい。（数字の最後に振替キーを押して下さい）」という文字が表示される。
遊技者がテンキー９ａにより、振替玉数を入力（ステップＳ１０）し、振替キー９ｅを押す（ステップＳ１１）と、演算記憶装置８は、徴収率設定手段７により設定された徴収率に前記振替玉数を乗算した玉数である手数料を計算し、前記振替玉数と前記手数料の和と遊技者口座の貯玉残数を比較する（ステップＳ１２）とともに振替玉数と手数料の和を前記貯玉残数から減算した差引貯玉残数を計算し、その結果をカード端末機５に送る。
この時、確認画面Ｂの振替玉数表示枠１０３には入力した振替玉数、手数料表示枠１０４には手数料、差引貯玉残数表示枠１０５には上記差引貯玉残数が表示され、指示画面Ａには、「確認キーを押して下さい。（変更の場合は取消キー）」という文字が表示される。ただし、差引貯玉残数がマイナスの場合には、差引貯玉残数表示枠１０５に表示された数字（例えば−２６４という数字）が点滅するとともに、指示画面Ａには、「振替できません。（取消キーを押して下さい）」という文字が表示され、振替玉数が適切でないことを表示する（ステップＳ１３）。
また、遊技者が、確認画面Ｂの振替玉数表示枠１０３の振替玉数、差引貯玉残数表示枠１０５の差引貯玉残数の表示を見て、振替玉数を設定し直したい場合にも、取消キー９ｂを押す（ステップＳ１４）と貯玉振替装置４は上記ステップＳ１０に戻る。
【００１６】
遊技者が確認キー９ｄを押す（ステップＳ１５）と、貯玉振替装置４はデータベース管理機１にアクセスして、遊技者の口座の貯玉データを前記貯玉残数から前記差引貯玉残数に更新記録するとともに、振替相手の口座の貯玉データを現在の貯玉残数に振替玉数を加算したものを貯玉残数として更新記録する。
一方、確認画面Ｂの振替先玉数表示枠１１２には、データベース管理機１において相手方の口座の更新が終了すると同時に、振替玉数が表示される。
そして、カード挿入口１２より会員カードが返却される（ステップＳ１６）とともに、レシート取り出し口１３からは確認画面Ｂに表示された内容を打ち出したレシートが排出され（ステップＳ１６）、貯玉の振替操作が終了する。また、貯玉振替装置４は再び待機状態へ戻る。
【００１７】
このように、本実施の形態によれば、簡単な操作で、遊技者が自己の口座にある貯玉の一部または全部を他の遊技者の口座に振り替えることができる。
【００１８】
なお、上述した実施の形態においては、貯玉振替装置４を新たに設ける例を示したが、上述の計数部３のカード端末機３３あるいは景品交換部２のカード端末機２１に貯玉振替装置４のカード端末機５の振替操作等の機能を付加するとともに、上記レシート発行機６、徴収率設定手段７、演算記憶装置８を連結させて、貯玉振替が可能なカード端末機を作製し、計数部３あるいは景品交換部２に設置してもよい
【００１９】
【発明の効果】
以上説明したように、本発明の遊技システムは、遊技者ごとに発行された、当該遊技者が獲得した遊技媒体数に対応する遊技媒体数データの記録が可能な口座を有し、上記口座の遊技媒体数データの記録・更新処理を行うデータベース管理機を備えるとともに、計数部もしくは景品交換部に、上記口座に遊技媒体数データが記録された遊技者の振替操作で入力された振替先の口座が上記データベース管理機に存在する場合に、上記振替操作で入力された振替遊技媒体数に相当する遊技媒体数データを、上記振替操作を行った遊技者の口座に記録された遊技媒体数データから減算するとともに上記振替先の口座に加算する振替装置を設けて、遊技者の口座にある遊技媒体数データの一部または全部を他の遊技者の口座に振り替えることができるようにしたので、遊技者の要望に応えることができ、遊技者の利便性が向上する。
【図面の簡単な説明】
【図１】本発明の実施の形態に係わる貯玉振替装置を使用するパチンコ遊技等の遊技システムの構成を示すブロック図である。
【図２】本発明の実施の形態を説明する斜視図である。
【図３】本発明の実施の形態に係わる貯玉振替装置の表示部に現われる表示画面の一例を示す図である。
【図４】本発明の実施の形態に係わる貯玉振替装置の操作を説明するためのフローチャートである。
【符号の説明】
１  データベース管理機
２  景品交換部
３  計数部
４  貯玉振替装置
５  カード端末機
６  レシート発行機
７  徴収率設定手段
８  演算記憶装置
９  入力キー
１０  表示部
１１  カードリーダ
１２  カード挿入口
１３  レシート取り出し口
９ａ  テンキー
９ｂ  取消キー
９ｃ  中止キー
９ｄ  確認キー
９ｅ  振替キー
Ｄ  表示画面
Ａ  指示画面
Ｂ  確認画面
【図１】
0004086915.tif 000002
【図２】
0004086915.tif 000003
【図３】
0004086915.tif 000004
【図４】
0004086915.tif 000005